【手続補正書】
【提出日】平成30年2月21日(2018.2.21)
【手続補正１】
【補正対象書類名】明細書
【補正対象項目名】発明の名称
【補正方法】変更
【補正の内容】
【発明の名称】光源ユニット、及び、照明装置
【手続補正２】
【補正対象書類名】明細書
【補正対象項目名】０００６
【補正方法】変更
【補正の内容】
【０００６】
本発明に係る光源ユニットは、発光素子が実装された基板が一面側の基板取付面部に取り付けられるとともに、前記発光素子に点灯電力を供給する電源装置が他面側の装置取付面部に取り付けられるプレート部と、前記電源装置に接続される電線を保持する電線保持部材であって、板状である台座部と前記台座部の端部に前記電線を保持する端部クリップ部とを有し、前記端部クリップ部を前記プレート部の端部側にして前記装置取付面部に設置される電線保持部材とを備える。
【手続補正３】
【補正対象書類名】明細書
【補正対象項目名】００５１
【補正方法】変更
【補正の内容】
【００５１】
図４に示すように、装置取付面部１１１ｄには、電源装置１４０に接続される電線５００のうち吊ボルト４００と干渉しない位置に配設された第１電線５００ｃが存在する。この第１電線５００ｃは、例として電源装置１４０に接続されたハーネスがあり、電線保持部材１６０には届かない長さである。
図４に示すように、電源装置１４０は、装置取付面部１１１ｄにおいて吊ボルト４００と干渉しない位置に配置される。すなわち、電源装置１４０は、装置取付面部１１１ｄの、照明器具２００に対する光源ユニット１００の取付方向を法線方向とする断面における吊ボルト４００と重ならない位置に配置される。
また、光源ユニット１００は、電源装置１４０に接続される電線のうち吊ボルト４００と干渉しない位置に配設された第１電線５００ｃを、装置取付面部１１１ｄの短手方向の端部で保持する第１電線クランプ１８０を備える。第１電線クランプ１８０は、ハーネスをクランプするハーネスクランプとも称される。
【手続補正４】
【補正対象書類名】特許請求の範囲
【補正対象項目名】全文
【補正方法】変更
【補正の内容】
【特許請求の範囲】
【請求項１】
発光素子が実装された基板が一面側の基板取付面部に取り付けられるとともに、前記発光素子に点灯電力を供給する電源装置が他面側の装置取付面部に取り付けられるプレート部と、
前記電源装置に接続される電線を保持する電線保持部材であって、板状である台座部と前記台座部の端部に前記電線を保持する端部クリップ部とを有し、前記端部クリップ部を前記プレート部の端部側にして前記装置取付面部に設置される電線保持部材と
を備える光源ユニット。
【請求項２】
前記端部クリップ部は、
前記電線保持部材が前記装置取付面部に設置された状態で、前記装置取付面部の中央部と前記装置取付面部の端部との中心部より、前記装置取付面部の端部の側に配置される請求項１に記載の光源ユニット。
【請求項３】
前記電線保持部材は、
前記装置取付面部に設置された状態における前記端部クリップ部より前記装置取付面部の中央部の側に、前記台座部を基端部として前記他面側に立ち上がる支持部および前記支持部の先端部から前記装置取付面部の前記端部の側に張り出す張出部が形成されるとともに、前記台座部と前記支持部と前記張出部とによって前記電線を保持する中央クリップ部を備える請求項１または２に記載の光源ユニット。
【請求項４】
長手方向に延びており、発光素子が実装された基板が一面側の基板取付面部に取り付けられるとともに、前記発光素子に点灯電力を供給する電源装置が他面側の装置取付面部に取り付けられるプレート部と、
前記電源装置に接続される電線を保持する電線保持部材であって、長方形の板状である台座部と前記台座部の長辺方向の端部に前記電線を保持する端部クリップ部とを有し、前記台座部の長辺方向を前記プレート部の短手方向に沿う方向にして前記装置取付面部に設置される電線保持部材と
を備える光源ユニット。
【請求項５】
前記端部クリップ部は、
前記電線保持部材が前記装置取付面部に設置された状態で、前記装置取付面部の短手方向の中央部と前記装置取付面部の短手方向の端部との中心部より、前記装置取付面部の短手方向の端部の側に配置される請求項４に記載の光源ユニット。
【請求項６】
前記電線保持部材は、
前記装置取付面部に設置された状態における前記端部クリップ部より前記装置取付面部の短手方向の中央部の側に、前記台座部を基端部として前記他面側に立ち上がる支持部および前記支持部の先端部から前記装置取付面部の短手方向に張り出す張出部が形成されるとともに、前記台座部と前記支持部と前記張出部とによって前記電線を保持する中央クリップ部を備える請求項４または５に記載の光源ユニット。
【請求項７】
前記電源装置は、
前記電線が前記端部クリップ部に保持された状態で、前記装置取付面部において前記端部クリップ部に保持された前記電線と干渉しない位置に取り付けられる請求項１から６のいずれか１項に記載の光源ユニット。
【請求項８】
前記電源装置は、
前記電線が前記中央クリップ部に保持された状態で、前記装置取付面部において前記端部クリップ部に保持された前記電線と干渉しない位置に取り付けられる請求項３または６に記載の光源ユニット。
【請求項９】
長手方向に延びた凹部を有する照明器具に、前記装置取付面部を前記凹部の底面部に対向させて前記凹部に取り付けられる前記光源ユニットであって、
前記照明器具は、ボルト挿入孔が前記底面部に形成され、
前記電線保持部材は、
前記照明器具に対する前記光源ユニットの取付方向を法線方向とする断面において、
前記支持部の先端部または前記張出部が、前記ボルト挿入孔と重なる位置に形成された請求項６に記載の光源ユニット。
【請求項１０】
前記支持部は、
前記電線保持部材が前記装置取付面部に設置された状態で、前記装置取付面部側から前記底面部側に向って立ち上がる請求項９に記載の光源ユニット。
【請求項１１】
前記電線保持部材は、
前記照明器具に対する前記光源ユニットの取付方向を法線方向とする断面において、
前記張出部の前記底面部に対向する対向面積が前記ボルト挿入孔の開口面積以上である請求項９または１０に記載の光源ユニット。
【請求項１２】
前記電線保持部材は、
前記支持部の先端部または前記張出部が、前記ボルト挿入孔から前記凹部に挿入される吊ボルトの先端部と当接する請求項９から１１のいずれか１項に記載の光源ユニット。
【請求項１３】
前記電線保持部材は、
前記照明器具に対する前記光源ユニットの取付方向を法線方向とする断面において、
前記張出部の前記底面部に対向する対向面積が前記吊ボルトの先端部の面積以上である請求項１２に記載の光源ユニット。
【請求項１４】
前記電線保持部材は、
前記照明器具に対する前記光源ユニットの取付方向を法線方向とする断面において、
前記張出部の前記底面部に対向する対向面積が前記吊ボルトの先端部の面積未満である請求項１２に記載の光源ユニット。
【請求項１５】
前記電線保持部材は、
前記装置取付面部の、前記電源装置が配置されない位置に配置される請求項１２から１４のいずれか１項に記載の光源ユニット。
【請求項１６】
請求項１から１５のいずれか１項に記載の光源ユニットと、
凹部を有する照明器具と
を備え、
前記光源ユニットは、
前記装置取付面部を前記凹部の底面部に対向させて前記凹部に取り付けられる照明装置。
【請求項１７】
請求項４から１５のいずれか１項に記載の光源ユニットと、
長手方向に延びた凹部を有する照明器具と
を備え、
前記光源ユニットは、
前記装置取付面部を前記凹部の底面部に対向させて前記凹部に取り付けられる照明装置。